(57)【要約】【課題】建築構造物の壁面の適正な位置に効率よく取り付けることができる座板、座板の取付構造および軒樋支持具を提供する。【解決手段】座板１０に設けた固定具４０の軸部４２の挿通用の挿通孔１１に、座板本体１０の側端に通じる固定具誘導路１３を連設させている。【選択図】図１
2015206203.tif 000002
【特許請求の範囲】
【請求項１】
頭部および軸部を有した固定具の軸部が挿通する挿通孔が形成された座板において、
前記挿通孔に、座板本体の側端に通じる固定具誘導路が連設されていることを特徴とする座板。
【請求項２】
頭部および軸部を有した固定具を用いて建築構造物の壁面に固定するようにした座板の取付構造において、
前記座板には、前記固定具の軸部が挿通する挿通孔と、前記座板の側端より前記挿通孔にいたるまで、前記建築構造物の壁面に仮打ち込みされた前記固定具の軸部がスライド移動できる固定具誘導路とが開設されていることを特徴とする座板の取付構造。
【請求項３】
軒樋を支持する軒樋支持部と、該軒樋支持部の後方に配され、頭部および軸部を有した固定具を用いて建築構造物の壁面に固定される取付板部とを備えた軒樋支持具において、
前記取付板部には、前記固定具の軸部が挿通する挿通孔と、前記取付板部の側端より前記挿通孔に通じる固定具誘導路とが開設されていることを特徴とする軒樋支持具。
【請求項４】
請求項３において、
前記取付板部は矩形状であり、
前記固定具誘導路は、前記取付板部の上端縁に略平行に形成されていることを特徴とする軒樋支持具。
【発明の詳細な説明】
【技術分野】
【０００１】
本発明は、座板、座板の取付構造および軒樋支持具に関する。
【背景技術】
【０００２】
軒樋支持具には、軒樋支持具を建築構造物の壁面に固定するための取付板部を含んで構成されている（たとえば、特許文献１参照）。この取付板部は矩形の座板を有して構成され、その座板には、ビスや釘などの固定具の軸部が挿通する挿通孔が形成されている。このような軒樋支持具は、複数のものが壁面に間隔をあけ水勾配を考慮して取り付けられ、それらにより軒樋を吊りまたは受け支持する構成となっている。
【０００３】
たとえば、出具合調節のできる軒樋支持具（軒樋吊り具や軒樋受け具）は、軒樋を吊りまたは受け支持する樋支持具本体と、その樋支持具本体を進退自在に連結する取付杆と、取付杆の取付部を壁面に固定するための座板とより構成されている。座板には横方向の中央に縦方向の凹溝が形成され、その凹溝に取付杆の取付部を固着するようになっており、その左右の固定部にビスの挿通孔が開設されている。
【０００４】
現場での施工に際しては、通例では座板と取付杆の取付部とはあらかじめリベットにて固着され取付板部として形成されており、樋支持具本体と取付杆と座板とが合体された状態で壁面に取り付ける作業が行われる。
【先行技術文献】
【特許文献】
【０００５】
【特許文献１】特開２０１０−１９６３４２号公報
【発明の概要】
【発明が解決しようとする課題】
【０００６】
しかしながら、軒樋支持具の施工は高所で行われるため、上記のような合体された、壁面から前方に突出するものを適切な位置に手際よく、左右２箇所でビスで固定して取り付けることは、きわめて困難な作業となっていた。しかも、複数の軒樋支持具を水勾配を考慮しながら適所に取り付けなければならないため、熟練した者であっても相当な時間を要していた。
【０００７】
また、軒樋支持具に限らず、種々の目的で座板を単体で壁面に取り付ける場合においても、取付位置を誤ったり、左右のずれが生じたりするなどのミスが発生する可能性が高く、効率よく壁面に取り付けることのできる、新規な座板および新規な座板の取付構造が望まれていた。
【０００８】
本発明は、このような事情を考慮して提案されたもので、その目的は、建築構造物の壁面の適正な位置に効率よく取り付けることができる座板、座板の取付構造および軒樋支持具を提供することにある。
【課題を解決するための手段】
【０００９】
上記目的を達成するために、請求項１に記載の座板は、頭部および軸部を有した固定具の軸部が挿通する挿通孔が形成された座板において、挿通孔に、座板本体の側端に通じる固定具誘導路が連設されていることを特徴とする。
【００１０】
請求項２に記載の座板の取付構造は、頭部および軸部を有した固定具を用いて建築構造物の壁面に固定するようにした座板の取付構造において、座板には、固定具の軸部が挿通する挿通孔と、座板の側端より挿通孔にいたるまで、建築構造物の壁面に仮打ち込みされた固定具の軸部がスライド移動できる固定具誘導路とが開設されていることを特徴とする。
【００１１】
請求項３に記載の軒樋支持具は、軒樋を支持する軒樋支持部と、軒樋支持部の後方に配され、頭部および軸部を有した固定具を用いて建築構造物の壁面に固定される取付板部とを備えた軒樋支持具において、取付板部には、固定具の軸部が挿通する挿通孔と、取付板部の側端より挿通孔に通じる固定具誘導路とが開設されていることを特徴とする。
【００１２】
請求項４に記載の軒樋支持具は、取付板部が矩形状であり、固定具誘導路が取付板部の上端縁に略平行に形成されていることを特徴とする。
【発明の効果】
【００１３】
請求項１に記載の座板または請求項２に記載の座板の取付構造によれば、上述した構成となっているため、高所においても座板を建築構造物の壁面の適正な位置に効率よく迅速に取り付けることができる。固定具をあらかじめ適正な位置に仮打ち込みしておけばよいので、位置を誤るおそれはほとんどない。
【００１４】
請求項３に記載の軒樋支持具によれば、上述した構成となっているため、軒樋支持具を仮止め状態にできる。そのため、軒樋支持具が落下しないようにずれないように手で保持しながら固定作業をする必要がなく、軒樋支持具を建築構造物の壁面の適正な位置に効率よく迅速に取り付けることができる。
【００１５】
請求項４に記載の軒樋支持具によれば、上述した構成となっているため、固定具をあらかじめ適正な位置に仮打ち込みしておけば、その後はスライド操作をするだけでよく、手際よく作業することができる。また、高さ位置の確認もしやすい。
【図面の簡単な説明】
【００１６】
【図１】本発明の一実施形態に係る座板の説明図であり、（ａ）は座板の正面図、（ｂ）は同平面図である。
【図２】図１に示した座板を有した軒樋支持具の取付手順（１／３）を示す斜視図である。
【図３】（ａ）、（ｂ）は、同軒樋支持具の取付手順（２／３、３／３）を示す斜視図である。
【図４】（ａ）〜（ｃ）は、固定具誘導路の他の３例を示す座板の部分正面図である。
【発明を実施するための形態】
【００１７】
以下に、本発明の実施の形態について、添付図面を参照しながら説明する。
【００１８】
本明細書において例示した種々の座板１０、１０、・・・（図１、図４（ａ）〜（ｃ）参照）は、頭部４１および軸部４２を有した固定具４０の軸部４２が挿通する挿通孔１１、１２が形成されており、図１（ａ）の右側のの挿通孔１１、１２には座板本体１０の側端に通じる固定具誘導路１３が連設されている。この固定具誘導路１３は、建築構造物の壁面に仮打ち込みされた、頭部４１および軸部４２を有した固定具４０の軸部４２がスライド移動できるようになっている。
【００１９】
ついで、このような座板１０を有した軒樋支持具について、図１〜図３を参照して詳細に説明する。
【００２０】
軒樋支持具１は、軒樋５を支持する軒樋支持部Ａと、その軒樋支持部Ａの後方に配され、頭部４１および軸部４２を有した固定具４０を用いて建築構造物の壁面に固定される取付板部Ｂとより構成されている（図２および図３（ａ）、（ｂ）参照）。
【００２１】
また、軒樋支持具１は、これを構成する部材として、軒樋５を吊り支持する樋支持具本体３０と、その樋支持具本体３０を適宜な進退位置で連結する取付杆２０と、取付杆２０を壁面に固定するための座板１０とを備えている。取付杆２０は樋支持具本体３０を吊り支持する杆部２１と、壁面に固定される取付部２２とを備え、Ｌ字状に形成されている。
【００２２】
取付杆２０の杆部２１と樋支持具本体３０とは、樋支持具本体３０の長手方向に設けた長孔３１ａを介して軸連結されている。樋支持具本体３０は、長孔３１ａに沿って取付杆２０に対する適宜な進退位置で固定できるようになっている。取付杆２０に対する樋支持具本体３０の固定、解除は、樋支持具本体３０の下方に軸に連結されたロック部材３２を横回転操作することで行われるようになっている。
【００２３】
樋支持具本体３０は、長孔３１ａが形成された本体部３１と、軒樋５の前耳５ａを係止する前耳係止部３３と、後耳５ｂを係止する後耳係止部３４とを備えている。長孔３１ａの幅方向の両側には、長孔３１ａのほぼ全長にわたり連続凹凸３１ｂが等ピッチで連続して形成してある。この連続凹凸３１ｂの凹部に、杆部２１の先端の裏面に設けた係止突部（不図示）が嵌入し押圧されることで、樋支持具本体３０が取付杆２０に固定されるようになっている。
【００２４】
これらの主要各部のうち、樋支持具本体３０と取付杆２０の杆部２１とが結合して上述の軒樋支持部Ａを構成し、取付杆２０の取付部２２と座板１０とが結合して上述の取付板部Ｂを構成している。
【００２５】
取付板部Ｂの構成部材である座板１０は、正面視で矩形状をなしており、横方向の中央に縦方向の凹溝１５が形成され、その凹溝１５に取付杆２０の取付部２２をリベット２３で固着するようになっている（図１（ａ）、（ｂ）参照）。凹溝１５の溝底中央にはリベット挿通用の挿通孔１５ａが設けてある。そして、座板１０は取付部２２を壁面との間に挟んだ状態にして、壁面に固定される。
【００２６】
凹溝１５の両側には、壁面に対してビス、釘などの、頭部４１と軸部４２とを有した固定具４０を用いて固定するために、壁面に密着するように配する固定部１６、１６が形成してある。固定部１６、１６には、ビスの軸部４２が挿通される左右１つずつのビス挿通孔１１、１１と、釘の軸部が挿通される左右２つずつの釘挿通孔１２、１２とが開設されている。
【００２７】
図１（ａ）の右側に配されたビス挿通孔１１には、座板本体１０の側端に通じる固定具誘導路１３が連設され、同右側に配された上部の釘挿通孔１２にも、座板本体１０の側端に通じる固定具誘導路１３が連設されている。
【００２８】
すなわち、軒樋支持具１の取付板部Ｂの右側の固定部１６には、固定具４０の軸部４２が挿通する挿通孔１１、１２と、取付板部Ｂの側端より挿通孔１１、１２に通じる固定具誘導路１３、１３とが開設されている。
【００２９】
この固定具誘導路１３は、矩形状の座板１０の上端縁に略平行に形成されている。固定具誘導路１３、１３の幅寸法は挿通孔１１、１２の直径よりもやや小さく、固定具４０の軸部４２がスライドできる程度の寸法となっている。また、固定具誘導路１３の側端側には開口が上下に広がった挿入ガイド部１３ａが形成されている。
【００３０】
ついで、この軒樋支持具１のビス止めによる取付手順について、図２および図３（ａ）、（ｂ）を参照しながら説明する。
【００３１】
まず、図２に示すように、ビス（固定具４０）を壁面の適正な位置に座板１０の固定具誘導路１３にビスの軸部４２がスライド移動できる程度に仮打ちの状態でねじ込む。つまり、ビスの軸部４２の壁面より突出した部分の長さが座板１０の厚みよりも長くなるように、ビスをねじ込んでおけばよい。なお、取付位置は取付板部Ｂのビス挿通孔１１に合わせてあらかじめ定めればよい。
【００３２】
つぎに、固定具誘導路１３の高さ位置を仮打ちしたビスの高さに合わせて、軒樋支持具１をビスに向けてほぼ水平にスライドさせ、ビスの軸部４２をビス挿通孔１１に到達させるまで固定具誘導路１３内をスライドさせていく（図２参照）。
【００３３】
ビスがビス挿通孔１１に到達した後、取付板部Ｂが水平になるように調整する。つぎに、他のビス挿通孔１１に新たなビス（固定具４０）をねじ込み固定し、さらに仮打ちしていたビスをねじ込んで取付板部Ｂを固定する（図３（ａ）、（ｂ）参照）。
【００３４】
このように、この座板１０の構成によれば、ビスをあらかじめ仮打ちしておけるので、軒樋支持具１を仮止め状態にできる。そのため、軒樋支持具１を壁面にあてがった状態で、ずれないようにしながら２箇所にビス止めする必要はなく、軒樋支持具１を簡単に効率よく取付固定することができる。
【００３５】
また、固定具誘導路１３が座板１０の上端縁に略平行に形成されているので、固定具４０に対して軒樋支持具１を水平方向にスライドさせるだけでよく、高所でも楽に作業することができる。また、あらかじめビス止めの高さ位置を定める際にも、取付板部Ｂを水平方向にずらしながら調整すればよく、上下方向に移動させる必要がないため、簡易に正確なビス止め位置を決定することができる。
【００３６】
さらに、固定具誘導路１３、１３の幅寸法が挿通孔１１、１２の直径よりも小さいので、仮打ちされた固定具４０を挿通孔１１、１２に移動させた後には座板１０が外れにくくなり、その後の作業がしやすくなる。圧入して移動できるような幅寸法の固定具誘導路１３にすれば、軒樋支持具１から手を離しても軒樋支持具１が固定具４０から外れるおそれはない。
【００３７】
つぎに、他の実施形態に係る座板の例について、図４（ａ）〜（ｃ）を参照しながら説明する。これらの座板１０は左右に対称的な挿通孔１１を有したものであるが、右側の挿通孔１１にのみ固定具誘導路１３が形成されており、図４（ａ）〜（ｃ）には、右側の挿通孔近傍のみを部分的に図示した。
【００３８】
図４（ａ）に示した座板１０には、挿通孔１１と固定誘導路１３との間に圧入にて通過できるようなネック部１３ｂが形成されている。そのため、固定具４０（図２参照、以下同様）の軸部４２がネック部１３ｂ間を通って挿通孔１１に移動した後に固定具４０が固定具誘導路１３に逆戻りすることを防止することができる。
【００３９】
図４（ｂ）に示した座板１０は、固定具誘導路１３が直線形状ではなく、折れ曲がっている。そのため、固定具４０がいったん挿通孔１１に到達した後に外方に外れる可能性は低い。特に図４（ｂ）の座板１０では、固定具誘導路１３が挿通孔１１の下方に延びているため、座板１０の重力により固定具４０を挿通孔１１に止まった状態に維持することができる。
【００４０】
図４（ｃ）に示した座板１０は、固定具誘導路１３が挿通孔１１の下方に向かい下端縁に開口する形状となっているため、重力を生かした簡易な取り付けを行うことができる。
【００４１】
これらの座板１０も、軒樋支持具１の取付板部Ｂを形成することに用いることができる。なお、図４に示した３種の座板１０は、軒樋支持具１だけではなく、他の用途にも用いることができるのは言うまでもない。その他種々の用途で用いられてもよい。また、図１に示した軒樋支持具１に用いられている座板１０も他の用途に用いることができる。
【００４２】
なお、図１、図４（ａ）、（ｂ）に示した座板１０を単体で壁面に取り付ける場合、座板１０の外形を左右対称にしたものであれば、左右のいずれか一方に固定具誘導路１３が設けてあれば、座板１０を上下反転することで、スライド方向を逆にすることができ、使い勝手がよい。図１に示した例のように軒樋支持具１として組み立てた後に壁面に取り付ける場合は、上下反転ができない。そのため、左右の両側に固定具誘導路１３を設けた座板１０を用いれば、さらに利便性が高まる。
【符号の説明】
【００４３】
１          軒樋支持具
５          軒樋
Ａ          軒樋支持部
Ｂ          取付板部
１０        座板、座板本体
１１        ビス挿通孔、挿通孔
１２        釘挿通孔、挿通孔
１３        固定具誘導路
４０        固定具
４１        頭部
４２        軸部
【図１】
2015206203.tif 000003
【図２】
2015206203.tif 000004
【図３】
2015206203.tif 000005
【図４】
2015206203.tif 000006
【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
頭部および軸部を有した固定具の軸部が挿通する挿通孔が形成された座板において、
前記挿通孔に、座板本体の側端に通じる固定具誘導路が連設されており、
前記挿通孔と前記固定具誘導路との間には、前記固定具の軸部が圧入にて通過できるようなネック部が形成されており、前記固定具が前記挿通孔から前記固定具誘導路に逆戻りすることを防止するようになっていることを特徴とする座板。
【請求項２】
頭部および軸部を有した固定具を用いて建築構造物の壁面に固定するようにした座板の取付構造において、
前記座板には、前記固定具の軸部が挿通する挿通孔と、前記座板の側端より前記挿通孔にいたるまで、前記建築構造物の壁面に仮打ち込みされた前記固定具の軸部がスライド移動できる固定具誘導路とが開設されており、
前記挿通孔と前記固定具誘導路との間には、前記固定具の軸部が圧入にて通過できるようなネック部が形成されており、前記固定具が前記挿通孔から前記固定具誘導路に逆戻りすることを防止するようになっていることを特徴とする座板の取付構造。
【請求項３】
軒樋を支持する軒樋支持部と、該軒樋支持部の後方に配され、頭部および軸部を有した固定具を用いて建築構造物の壁面に固定される取付板部とを備えた軒樋支持具において、
前記取付板部には、前記固定具の軸部が挿通する挿通孔と、前記取付板部の側端より前記挿通孔に通じる固定具誘導路とが開設されており、
前記挿通孔と前記固定具誘導路との間には、前記固定具の軸部が圧入にて通過できるようなネック部が形成されており、前記固定具が前記挿通孔から前記固定具誘導路に逆戻りすることを防止するようになっていることを特徴とする軒樋支持具。
【請求項４】
請求項３において、
前記取付板部は矩形状であり、
前記固定具誘導路は、前記取付板部の上端縁に略平行に形成されていることを特徴とする軒樋支持具。
【手続補正２】
【補正対象書類名】明細書
【補正対象項目名】０００９
【補正方法】変更
【補正の内容】
【０００９】
上記目的を達成するために、請求項１に記載の座板は、頭部および軸部を有した固定具の軸部が挿通する挿通孔が形成された座板において、挿通孔に、座板本体の側端に通じる固定具誘導路が連設されており、挿通孔と固定具誘導路との間には、固定具の軸部が圧入にて通過できるようなネック部が形成されており、固定具が挿通孔から固定具誘導路に逆戻りすることを防止するようになっていることを特徴とする。
【手続補正３】
【補正対象書類名】明細書
【補正対象項目名】００１０
【補正方法】変更
【補正の内容】
【００１０】
請求項２に記載の座板の取付構造は、頭部および軸部を有した固定具を用いて建築構造物の壁面に固定するようにした座板の取付構造において、座板には、固定具の軸部が挿通する挿通孔と、座板の側端より挿通孔にいたるまで、建築構造物の壁面に仮打ち込みされた固定具の軸部がスライド移動できる固定具誘導路とが開設されており、挿通孔と固定具誘導路との間には、固定具の軸部が圧入にて通過できるようなネック部が形成されており、固定具が挿通孔から固定具誘導路に逆戻りすることを防止するようになっていることを特徴とする。
【手続補正４】
【補正対象書類名】明細書
【補正対象項目名】００１１
【補正方法】変更
【補正の内容】
【００１１】
請求項３に記載の軒樋支持具は、軒樋を支持する軒樋支持部と、軒樋支持部の後方に配され、頭部および軸部を有した固定具を用いて建築構造物の壁面に固定される取付板部とを備えた軒樋支持具において、取付板部には、固定具の軸部が挿通する挿通孔と、取付板部の側端より挿通孔に通じる固定具誘導路とが開設されており、挿通孔と固定具誘導路との間には、固定具の軸部が圧入にて通過できるようなネック部が形成されており、固定具が挿通孔から固定具誘導路に逆戻りすることを防止するようになっていることを特徴とする。
【手続補正５】
【補正対象書類名】明細書
【補正対象項目名】００１６
【補正方法】変更
【補正の内容】
【００１６】
【図１】本発明の一実施形態に係る座板の説明図であり、（ａ）は座板の正面図、（ｂ）は同平面図である。
【図２】図１に示した座板を有した軒樋支持具の取付手順（１／３）を示す斜視図である。
【図３】（ａ）、（ｂ）は、同軒樋支持具の取付手順（２／３、３／３）を示す斜視図である。
【図４】（ａ）〜（ｃ）は、固定具誘導路の他の３例（（ａ）は本発明の実施例、（ｂ）（ｃ）は参考例）を示す座板の部分正面図である。
【手続補正６】
【補正対象書類名】明細書
【補正対象項目名】００３８
【補正方法】変更
【補正の内容】
【００３８】
図４（ａ）に示した座板１０には、挿通孔１１と固定誘導路１３との間に固定具４０の軸部４２が圧入にて通過できるようなネック部１３ｂが形成されている。そのため、固定具４０（図２参照、以下同様）の軸部４２がネック部１３ｂ間を通って挿通孔１１に移動した後に固定具４０が固定具誘導路１３に逆戻りすることを防止することができる。
【手続補正７】
【補正対象書類名】明細書
【補正対象項目名】００４３
【補正方法】変更
【補正の内容】
【００４３】
１          軒樋支持具
５          軒樋
Ａ          軒樋支持部
Ｂ          取付板部
１０        座板、座板本体
１１        ビス挿通孔、挿通孔
１２        釘挿通孔、挿通孔
１３        固定具誘導路
１３ｂ      ネック部
４０        固定具
４１        頭部
４２        軸部